(57)【要約】【課題】文化財、特に大形の文化財を安全かつ確実に保存する。【解決手段】文化財をケースで囲い、該ケース内に低温又は適温に温度コントロールした不活性ガスを流し、文化財を不活性ガス雰囲気中に封入する一方、文化財を監視カメラで監視するとともに、監視カメラで撮影した画像を取り出し、撮像時間の異なる画像を比較して風化現象の発生を検知し、警告を発するようにする。【選択図】  なし【特許請求の範囲】
本考案は古代遺跡類を風化させずに永久保存することのできる、遺跡類の保存と風化予防全般にわたる範囲であり、窒素ガス、アルゴンガス、二酸化炭素ガス、ヘリュウムガス等の不活性シールガスとカメラによる画像処理技術との組み合わせによる文化財保存方法とセキュリティ方法。
【発明の詳細な説明】
３、適応分野
本考案は古代遺跡はもとより、壁画、建造物、仏像、はにわなど発掘される考古物、書画、古美術、刀剣などの書造物、布、和紙、紙幣などの古紙や古銭など、時代により大気中の酸素による腐敗、カビ、虫害、火災や水害、地震や雷による天災などの災害による破損を防止する対策として有効な手段である。
４、従来の技術
従来、この種の遺跡類を保存する方法としては、例えば仏像や埴輪、装飾品などと言った考古物は、専用容器若しくは専用容器の中に風化防止用の化学薬品により、経年変化の防止処置を施していた。しかし、この種の方法では、特に壁画類や大きな建造物などを保存することには限界が有り、壁画に於いては風化に伴うカビや汚れなどの防止対策がなされていない状態である。
５、課題を解決するための手段
本考案は従来に示す技術の課題を解決するために、以下の内容の処置を講じている。
（１）遺跡類を保管する場合、例えば壁画などに於いては、発掘された壁画遺跡の周囲、若しくは壁画そのものを窒素ガス雰囲気に覆うこと。
（２）壁画や遺跡では、風化の前兆である「カビや汚れ、シミやキズ」と言った現象を監視するための手段として、カメラによる監視と共に、特に「カビや汚れ、シミやキズ」の発生状況を常時監視すると同時にカビなどの発生状況を画像処理技術を用いて解析し、風化現象の発生を外部へモニター若しくは警告を発する手段を講じている。
（３）窒素ガスを低温や適温に温度コントロールすると同時に、ガスをガラスケースやアクリルケースなどの内部に濃度をコントロールしながら流すことにより腐食防止可能な保存環境が得られる。
６、発明の説明
本考案の説明として遺跡の一つで有る「壁画の管理方法」について記述する。壁画の場合は洞窟や古代古墳と言った場所より発掘されるケースが多いことから、まず、洞窟や古墳自体を外気より遮断するために「窒素ガス雰囲気」にすることである。窒素ガスは不活性ガスであるため「酸化防止」の性質を持っていることと、他の不活性ガス（たとえは水素や二酸化炭素）と比較し、手頃に大気中から取り出すことができる。さらに、風化の前兆とも言える「カビ」の発生メカニズムは、カビ生態系から生物の一つであるため、酸素を遮断させることが重要な方策である。その為に窒素ガスを約９９．９９％の濃度にて封入させた雰囲気にて管理することによりカビの発生を抑制させる効果がある。しかし、窒素濃度が９９．９９％であるため、わずかな酸素が有ることを考慮した場合、完全にカビの発生を抑制することは出来ない。そこで、カビ発生を瞬時に外部、若しくは監視部署などへ連絡させる手段として、窒素ガス雰囲気にて管理されている、遺跡部屋の各所に監視カメラを設置し、カメラは常時壁画を監視すると同時に外部へモニターにて表示させておく。カメラ監視では一定時間（例えば１分毎など）壁画の状況、つまり発掘した時の状態を予め、画像処理装置のメモリなどに登録させておき、時間毎の映像状態を処理することで、もしカビやシミなどが発生した場合、「異常事態」として判断し警報を発することである。
７、発明の効果
本考案を採用することにより以下の効果が期待できる。
（１）古代遺跡類を発掘状態から管理するために、特に経年変化への予防処置ができる。
（２）壁画類の経年変化のひとつである、カビや汚れ、シミやキズの自然発生に対して、撮像技術と画像処理技術を応用し、監視することでその発生状態を見極めることができる。また、ガス濃度、温度、湿度等による変化を読むことで、セキュリティの効果も期待できる。
【手続補正書】
【提出日】平成15年6月11日(2003.6.11)
【手続補正１】
【補正対象書類名】明細書
【補正対象項目名】全文
【補正方法】変更
【補正の内容】
【特許請求の範囲】
【請求項１】  文化財をケースで囲い、該ケース内に低温又は適温に温度コントロールした不活性ガスを流し、文化財を不活性ガス雰囲気中に封入する一方、文化財を監視カメラで監視するとともに、監視カメラで撮影した画像を取り出し、撮像時間の異なる画像を比較して風化現象の発生を検知し、警告を発するようにしたことを特徴とする文化財の保存セキュリティ方法。
【請求項２】  文化財をケースで囲い、該ケース内に低温又は適温に温度コントロールした不活性ガスを流し、文化財を不活性ガス雰囲気中に封入するようにしたことを特徴とする文化財の保存方法。
【請求項３】  文化財を監視カメラで監視するとともに、監視カメラで撮影した画像を取り出し、撮像時間の異なる画像を比較して風化現象の発生を検知し、警告を発するようにしたことを特徴とする文化財のセキュリティ方法。
【発明の詳細な説明】
【０００１】
【発明の属する技術分野】
本発明は文化財の保存セキュリティ方法に関する。
【０００２】
【従来の技術】
遺跡で発見される壁画、遺跡で発掘される仏像や埴輪あるいは装飾品などの考古物、古代の遺構や建造物、書画や美術品、刀剣、布や和紙。紙幣や古銭などは文化財として重要であるが、このような文化財は大気中の酸素による酸化、腐敗、カビや虫、火災や雨水、地震や落雷などによって損傷を受けやすく、適切に保存することが望まれる。
【０００３】
従来、この種の文化財を保存する場合、例えば仏像や埴輪、装飾品、あるいは書画や美術品、刀剣、布や和紙。紙幣や古銭などについては、専用容器に入れ、若しくは専用容器の中に風化防止用の化学薬品とともに入れ、損傷の発生を防止することが行われていた。
【０００４】
【発明が解決しようとする課題】
しかし、従来の保存方法では大形の文化財、特に壁画類や建造物などを保存するには限界が有り、例えば壁画においては風化に伴う損傷、カビや汚れなどに対する防止対策がなされていないのが実情である。
【０００５】
【課題を解決するために手段】
そこで、本発明に係る文化財の保存セキュリティ方法は、文化財をケースで囲い、該ケース内に低温又は適温に温度コントロールした不活性ガスを流し、文化財を不活性ガス雰囲気中に封入する一方、文化財を監視カメラで監視するとともに、監視カメラで撮影した画像を取り出し、撮像時間の異なる画像を比較して風化現象の発生を検知し、警告を発するようにしたことを特徴とする。
【０００６】
また、本発明に係る文化財の保存方法は、文化財をケースで囲い、該ケース内に低温又は適温に温度コントロールした不活性ガスを流し、文化財を不活性ガス雰囲気中に封入するようにしたことを特徴とする。
【０００７】
また、本発明に係る文化財のセキュリティ方法は、文化財を監視カメラで監視するとともに、監視カメラで撮影した画像を取り出し、撮像時間の異なる画像を比較して風化現象の発生を検知し、警告を発するようにしたことを特徴とする。
【０００８】
即ち、本発明は従来に示す課題を解決するために、以下の内容の処理を講じている。
（１）遺跡類を保管する場合、例えば壁画などに於いては、発掘された壁画遺跡の周囲、若しくは壁画そのものを窒素ガス雰囲気に覆うこと。
（２）壁画や遺跡では、風化の前兆である「カビや汚れ、シミやキズ」と言った現象を監視するための手段として、カメラによる監視と共に、特に「カビや汚れ、シミやキズ」の発生状況を常時監視すると同時にカビなどの発生状況を画像処理技術を用いて解析し、風化現象の発生を外部へモニター若しくは警告を発する手段を講じている。
（３）窒素ガスを低温や適温に温度コントロールすると同時に、ガスをガラスケースやアクリルケースなどの内部に濃度をコントロールしながら流すことにより腐食防止可能な保存環境が得られる。
【０００９】
不活性ガスには窒素ガス、アルゴンガス、ヘリウムガス、二酸化炭素ガスを用いることができる。
【００１０】
【発明の実施の形態】
以下、本発明を遺跡の一つで有る「壁画の保存セキュリティ方法」を例に説明する。壁画の場合は洞窟や古代古墳と言った場所から発見又は発掘されるケースが多いことから、まず、洞窟や古墳自体を外気より遮断するために「窒素ガス雰囲気」にすることである。窒素ガスは不活性ガスであるため「酸化防止」の性質を持ち、しかも他の不活性ガス（たとえば二酸化炭素）と比較し、大気中から手頃に取り出すことができるという特徴を有する。
【００１１】
さらに、風化の前兆とも言える「カビ」の発生メカニズムは、カビ生態系から生物の一種であるため、酸素を遮断させることが重要な方策である。その為に窒素ガスを約９９．９９％の濃度にて封入させた雰囲気にて管理することによりカビの発生を抑制させる効果がある。しかし、窒素濃度が９９．９９％であるため、わずかな酸素が有ることを考慮した場合、完全にカビの発生を抑制することは出来ない。
【００１２】
そこで、カビ発生を瞬時に外部、若しくは監視部署などへ連絡させる手段として、窒素ガス雰囲気にて管理されている、遺跡部屋の各所に監視カメラを設置し、監視カメラには常時壁画を監視させると同時に、外部へモニターにて表示させておく。カメラ監視では一定時間毎（例えば１分毎など）に壁画の状況、つまり発掘した時の状態を予め、画像処理装置のメモリなどに登録させておき、一定時間毎の映像状態を処理することで、もしカビやシミなどが発生した場合、「異常事態」として判断し警報を発することである。
【００１３】
【発明の効果】
本発明を採用することにより以下の効果が期待できる。
（１）古代遺跡類を発掘状態から管理するために、特に経年変化への予防処置ができる。
（２）壁画類の経年変化のひとつである、カビや汚れ、シミやキズの自然発生に対して撮像技術と画像処理技術を応用し、監視することでその発生状態を見極めることができる。また、ガス濃度、温度、湿度等による変化を読むことで、セキリュティの効果も期待できる。